(57)【要約】【課題】プレスローラの組み付け作業の効率を向上させることができる用紙搬送機構を備えた画像形成装置を提供する。【解決手段】搬送ローラと、該搬送ローラに圧接されるプレスローラとからなり、搬送ローラの回転により該搬送ローラとプレスローラの圧接部で用紙をニップして搬送する用紙搬送機構を備えた画像形成装置において、プレスローラ３３と、該プレスローラ３３を軸支するシャフト４１と、該シャフト４１を支持する取付具５０，５０とを備えてなるプレスローラアッセンブリ４０を具備し、このプレスローラアッセンブリ４０の取付具５０，５０を画像形成装置にネジの締結によって取付固定することで、画像形成装置へのプレスローラの組み付けが行えるように構成した。【選択図】図４
2008063074.tif 000002
【特許請求の範囲】
【請求項１】
搬送ローラと、該搬送ローラに圧接されるプレスローラとからなり、前記搬送ローラの回転により該搬送ローラとプレスローラの圧接部で用紙をニップして搬送する用紙搬送機構を備えた画像形成装置において、
前記プレスローラと、該プレスローラを軸支するシャフトと、該シャフトを支持する取付具とを備えてなるプレスローラアッセンブリを具備し、前記取付具は、前記画像形成装置にネジ締結で取付固定されるように構成したことを特徴とする画像形成装置。
【請求項２】
請求項１に記載の画像形成装置において、
前記プレスローラアッセンブリは、前記プレスローラの前記搬送ローラへの圧接を解除するニップ解除レバーを備えていることを特徴とする画像形成装置。
【請求項３】
請求項２に記載の画像形成装置において、
前記ニップ解除レバーは、前記シャフトに回動自在に取り付けられており、回動する際に前記取付具に設けたガイド部に乗り上げることで、前記シャフトを持ち上げて前記プレスローラの圧接を解除するように構成したことを特徴とする画像形成装置。
【請求項４】
請求項３に記載の画像形成装置において、
前記取付具に、前記ニップ解除レバーをニップ解除位置で係止する係止機構を設けたことを特徴とする画像形成装置。
【請求項５】
請求項４に記載の画像形成装置において、
前記ニップ解除位置で係止されたニップ解除レバーのニップ位置からの立ち上がり角度が、９０度未満となるように構成したことを特徴とする画像形成装置。
【請求項６】
請求項２乃至５のいずれか１項に記載の画像形成装置において、
前記プレスローラが前記搬送ローラに圧接されたニップ状態で、前記ニップ解除レバーが用紙搬送路の一部をなすように構成したことを特徴とする画像形成装置。
【発明の詳細な説明】
【技術分野】
【０００１】
本発明は、搬送ローラと、該搬送ローラに圧接されるプレスローラとからなり、搬送ローラの回転により該搬送ローラとプレスローラの圧接部で用紙をニップして搬送する用紙搬送機構を備えた画像形成装置に関するものである。
【背景技術】
【０００２】
ファクシミリやコピー機などの画像形成装置には、搬送ローラと、該搬送ローラに圧接されるプレスローラとからなり、搬送ローラの回転により該搬送ローラとプレスローラの圧接部で用紙をニップして搬送する用紙搬送機構を備えたものがある。
【特許文献１】特開２００２−２２０１３３号公報
【発明の開示】
【発明が解決しようとする課題】
【０００３】
上記の用紙搬送機構を備えた画像形成装置では、プレスローラは、画像形成装置内の用紙搬送路に設置された搬送ローラに圧接された状態で組み付けられている。ところが、このプレスローラは、画像形成装置内の部品の配置構成によっては、手の届きにくい奥部に組み付けなければならない場合がある上に、従来は、その組み付けに必要な部品がそれぞれ別個であったため、各部品を組み合わせてプレスローラを組み付ける作業の効率があまり良くないという問題があった。
【０００４】
また一方で、プレスローラは搬送ローラに対して圧接（ニップ）された状態になっているが、プレスローラのニップ部で用紙の詰まりなどが生じた場合には、これを取り除くためにプレスローラのニップを解除しなければならない。そのため、プレスローラにニップ解除機構を設ける必要がある。ところがこのニップ解除機構を設けることで、プレスローラの組み付けに必要な部品の点数が多くなると、プレスローラの組み付け作業の効率がさらに低下するおそれがあった。
【０００５】
本発明は上述の点に鑑みてなされたものでありその目的は、プレスローラの組み付け作業の効率を向上させることができる用紙搬送機構を備えた画像形成装置を提供することにある。
【課題を解決するための手段】
【０００６】
上記課題を解決するため本願の請求項１に記載の発明は、搬送ローラと、該搬送ローラに圧接されるプレスローラとからなり、前記搬送ローラの回転により該搬送ローラとプレスローラの圧接部で用紙をニップして搬送する用紙搬送機構を備えた画像形成装置において、前記プレスローラと、該プレスローラを軸支するシャフトと、該シャフトを支持する取付具とを備えてなるプレスローラアッセンブリを具備し、前記取付具は、前記画像形成装置にネジ締結で取付固定されるように構成したことを特徴とする。
【０００７】
本願の請求項２に記載の発明は、請求項１に記載の画像形成装置において、前記プレスローラアッセンブリは、前記プレスローラの前記搬送ローラへの圧接を解除するニップ解除レバーを備えていることを特徴とする。
【０００８】
本願の請求項３に記載の発明は、請求項２に記載の画像形成装置において、前記ニップ解除レバーは、前記シャフトに回動自在に取り付けられており、回動する際に前記取付具に設けたガイド部に乗り上げることで、前記シャフトを持ち上げて前記プレスローラの圧接を解除するように構成したことを特徴とする。
【０００９】
本願の請求項４に記載の発明は、請求項３に記載の画像形成装置において、前記取付具に、前記ニップ解除レバーをニップ解除位置で係止する係止機構を設けたことを特徴とする。
【００１０】
本願の請求項５に記載の発明は、請求項４に記載の画像形成装置において、前記ニップ解除位置で係止されたニップ解除レバーのニップ位置からの立ち上がり角度が、９０度未満となるように構成したことを特徴とする。
【００１１】
本願の請求項６に記載の発明は、請求項２乃至５のいずれか１項に記載の画像形成装置において、前記プレスローラが前記搬送ローラに圧接されたニップ状態で、前記ニップ解除レバーが用紙搬送路の一部をなすように構成したことを特徴とする。
【発明の効果】
【００１２】
本願の請求項１に記載の発明によれば、プレスローラと、該プレスローラを軸支するシャフトと、該シャフトを支持する取付具とを備えてなるプレスローラアッセンブリを具備し、このプレスローラアッセンブリの取付具を画像形成装置にネジ締結で取付固定するように構成したので、画像形成装置へのプレスローラの組み付けや取り外しの作業が行い易くなり、それらの作業効率を向上させることができる。
【００１３】
本願の請求項２に記載の発明によれば、プレスローラアッセンブリは、プレスローラの圧接を解除するニップ解除レバーを備えているので、このプレスローラアッセンブリを組み付けることによってニップ解除機構も設置することができ、ニップ解除機構を備えたプレスローラの画像形成装置への組み付け作業が行い易くなる。
【００１４】
本願の請求項３に記載の発明によれば、ニップ解除レバーは、回動する際に取付具のガイド部に乗り上げることでシャフトを持ち上げてプレスローラのニップを解除するので、ニップ解除レバーを操作する力が小さくても確実にニップの解除ができるニップ解除機構を、簡単な構成で実現でき、ニップ解除の操作性を向上させることができる。
【００１５】
本願の請求項４に記載の発明によれば、取付具に、ニップ解除レバーをニップ解除位置で係止する係止機構を設けたので、プレスローラをニップ解除状態で止めることが可能となり、プレスローラと搬送ローラの圧接部における紙詰まり等の処理を行う際の利便性を向上させることができる。
【００１６】
本願の請求項５に記載の発明によれば、ニップ解除位置で係止されたニップ解除レバーのニップ位置からの立ち上がり角度が、９０度未満となるように構成したので、万一、ニップ解除レバーをニップ位置へ戻し忘れて、その上部に他の部品やカバー部材などを取り付けてしまった場合でも、ニップ解除レバーが他の部品やカバー部材などで押されて自動的に戻されるので、部品の引っ掛かりなどの不具合や故障の発生を防止できる画像形成装置となる。
【００１７】
本願の請求項６に記載の発明によれば、プレスローラがニップ位置にある状態で、ニップ解除レバーが用紙搬送路の一部をなすように構成したので、簡単な構成で部品点数を増やさずに、ニップ解除レバーで構成される用紙搬送路の一部によって搬送される用紙を保護することができる画像形成装置となる。
【発明を実施するための最良の形態】
【００１８】
以下、本発明の実施形態を図面に基づいて詳細に説明する。図１は、本発明の一実施形態にかかる用紙搬送機構を備えた画像形成装置を示す斜視図である。まず、同図を用いて画像形成装置の概略全体構成について説明する。本発明を適用する画像形成装置としては、用紙搬送機構を備えた画像形成装置であれば、コピー機やファクシミリ装置やプリンタあるいはこれらの機能を兼ね備えたいわゆる複合機のうちのいずれであっても良い。同図に示す画像形成装置１は、上段側に読取部２を配置し、下段側に記録部３を配置して一体に構成されている。読取部２は、装置本体上部の一端に取り付けられた自動原稿搬送装置（以下、「ＡＤＦ装置」という。）４と、このＡＤＦ装置４の下側に設置された原稿の画像を読み取る画像読取装置（図示せず）を備えている。また、記録部３は、画像読取装置の側部に配置された画像記録装置５と、画像記録装置５の下側に配置された給紙カセット６と記録紙排出トレイ７を備えている。また、画像記録装置５の前面部には操作パネル８が取り付けられている。一方、ＡＤＦ装置４の側部には、画像記録装置５の本体部カバー９の上部に開閉自在に取り付けられた上部カバー１０が設置されている。この上部カバー１０の上面は、ＡＤＦ装置４から排出された原稿を載置する原稿排出トレイ１０ａになっていて、その上方には、ＡＤＦ装置４に供給する原稿を載置する原稿供給トレイ１１が取り付けられている。
【００１９】
この画像形成装置１では、原稿供給トレイ１１上にセットされた原稿が、一枚ずつ分離されてＡＤＦ装置４へ取り込まれ、画像読取装置で原稿の画像が読み取られた後、原稿排出トレイ１０ａへ排出されるようになっている。またその一方で、給紙カセット６内に収容されている用紙が画像記録装置５へ給送され、該画像記録装置５で用紙への記録が行われた後、用紙が記録紙排出トレイ７へ排出されるようになっている。
【００２０】
図２は、画像記録装置５の上部カバー１０を開いた状態を示す斜視図で、図３は、画像記録装置５の内部構成を示す側断面図である。これらの図に示すように、画像記録装置５内には、一端に設けた軸部１２ａを支点として上下方向に開閉可能な中間カバー１２が設置されている。図３では、この中間カバー１２を開いた状態を示している。また、この中間カバー１２の下側にはプロセスユニット１３が配置されている。プロセスユニット１３は、現像器ユニット１４と感光体ユニット１５を組み合わせて構成されている。これら現像器ユニット１４と感光体ユニット１５は、中間カバー１２を開いた状態でユニット単位で取り付け・取り外しが可能な構造になっている。
【００２１】
現像器ユニット１４は、トナーを収容するトナー室１９と、感光体ユニット１５の下記する感光体ドラム１６にトナーを供給する現像ローラ２０と、現像ローラ２０にトナーを供給するトナー供給ローラ２１を備えている。感光体ユニット１５は、用紙にトナーを転写する感光体ドラム１６と、感光体ドラム１６を収納する筐体３４と、感光体ドラム１６の表面を負電位に帯電させる帯電ローラ１８を備えている。また、筐体３４の上面部にはスリット３４ａが開口しており、下記する光書込手段が挿入されるようになっている。
【００２２】
現像器ユニット１４の下側には、プロセスユニット１３の下側壁を構成するインナガイド３０上に形成された用紙搬送路３１が設けられている。この用紙搬送路３１の搬送下流側は、感光体ユニット１５の感光体ドラム１６と転写ローラ１７の間に連通している。また、用紙搬送路３１の入口部には搬送ローラ３２が設置され、該搬送ローラ３２にプレスローラ３３が圧接された状態で取り付けられている。このプレスローラ３３は、下記で詳細に説明するように、該プレスローラ３３と一緒に組み付けられる他の部品と共にプレスローラアッセンブリ４０として構成されており、このプレスローラアッセンブリ４０を一体にプロセスユニット１３内に組み付けるようになっている。
【００２３】
また、プロセスユニット１３の搬送下流側には、定着器ユニット２２が設置されている。この定着器ユニット２２は、ヒートローラ２３と、該ヒートローラ２３に対向して配置されるプレスローラ２４とを備えている。一方、中間カバー１２の感光体ユニット１５の直上位置には、光書込手段であるＬＥＤヘッド２７が設置されている。このＬＥＤヘッド２７は、搬送される用紙の幅方向に沿って一列に配列された多数の発光部を有するＬＥＤヘッドアレイ２８と、該ＬＥＤヘッドアレイ２８からの光を感光体ドラム１６上に集光する集光レンズ２９とからなる。そして、詳細な図示は省略するが、中間カバー１２を閉じた状態で、ＬＥＤヘッド２７の集光レンズ２９が感光体ユニット１５の筐体３４のスリット３４ａに挿入されて、感光体ドラム１６側へ突出するようになっている。
【００２４】
上記構成の画像記録装置５における用紙への画像の記録手順を簡単に説明する。ＬＥＤヘッド２７は、画像読取装置で読み取った画像情報、あるいは画像形成装置１が備える通信手段（図示せず）で受信した画像情報などに基づいて、ＬＥＤヘッドアレイ２８上のＬＥＤを発光させる。集光レンズ２９は、ＬＥＤの発光点の像を感光体ドラム１６上に結像させ、これにより感光体ドラム１６上に静電潜像が形成される。一方で、現像器ユニット１４のトナー室１９からトナー供給ローラ２１及び現像ローラ２０を介して感光体ドラム１６に供給されたトナーが、感光体ドラム１６上の静電潜像に付着することで、トナー画像が形成され、搬送ローラ３２とプレスローラ３３により用紙搬送路３１を搬送された用紙にこのトナー画像が転写される。トナー画像が転写された用紙は、定着器ユニット２２のプレスローラ２４とヒートローラ２３の間へ送られて、用紙上に転写されたトナーがヒートローラ２３により加熱溶融されて永久画像として定着される。トナーが定着された用紙は、定着器ユニット２２の搬送下流側に配置された排出ローラ２５及びプレスローラ２６によって、画像記録装置５から排出される。
【００２５】
次に、この画像形成装置１が備えるプレスローラアッセンブリ４０について説明する。図４は、プレスローラアッセンブリ４０を示す平面図である。同図に示すように、プレスローラアッセンブリ４０は、プレスローラ３３と、プレスローラ３３を軸支するシャフト４１と、シャフト４１を支持する一対の取付具５０，５０と、プレスローラ３３のニップを解除するニップ解除レバー４５とを備えて構成されている。プレスローラ３３は、樹脂製の円筒状部材で、搬送ローラ３２の搬送幅方向に沿って複数個を並べて配置するようになっている。そして、各プレスローラ３３に円柱棒状のシャフト４１が挿通されている。このシャフト４１には、その長手方向に沿う略長方形の板形状に形成されたニップ解除レバー４５が取り付けられている。ニップ解除レバー４５は、シャフト４１側を向く長手方向の一辺４５ａから突出して形成された複数の突起状の取付部４６に形成したシャフト挿通穴４６ａを備え、該シャフト挿通穴４６ａに挿通されたシャフト４１の周りに回動自在に取り付けられている。
【００２６】
図５は、現像器ユニット１４を取り外した状態における画像記録装置５の内部をその上方から見た部分拡大斜視図で、プレスローラアッセンブリ４０を組み付けた用紙搬送路３１を上方から見た図である。また、図６は、プレスローラアッセンブリ４０の取付具５０とニップ解除レバー４５の概略側面図（一部断面図）である。これらの図に示すように、シャフト４１の端部を回転自在に支持する一対の取付具５０は、略長方形の箱状に形成された本体部５１と、該本体部５１の長手方向の一端に設けたシャフト支持部５２とを備えて構成されている。シャフト支持部５２は、シャフト４１をその軸方向が本体部５１の長手方向と直交する水平方向になるように軸支するもので、シャフト４１を挿入するシャフト挿入孔５２ａと、該シャフト挿入孔５２ａの内側に設けたシャフト４１の上面側を覆う覆い部５２ｂとを備えている。図６に示すように、シャフト挿入孔５２ａはその断面形状が縦長形状になっている。また、覆い部５２ｂの上面には、シャフト４１の上面に沿う半円弧状の湾曲面からなるガイド部５３が形成されていて、このガイド部５３の本体部５１側の端部には、垂直に立設された板状の係止片５４が形成されている。一方で、ニップ解除レバー４５の前記一辺４５ａのガイド部５３に対応する位置には、突起状の当接部４７が形成されている。この当接部４７は、下記するようにニップ解除レバー４５を回動させて引き起こす際に、ガイド部５３に当接してこれに乗り上げるようになっている。
【００２７】
一方、図４に示すように、取付具５０の本体部５１の側面（長手方向の側面）５１ａからは、平板状のつば部５５が突出しており、該つば部５５には、取付具５０を画像記録装置５の下記する本体フレーム３５に固定するネジ３７を挿通させる挿通穴５５ａが形成されている。また、本体部５１のシャフト支持部５２とは反対側の端部の側面には、取付具５０を本体フレーム３５に固定する際の位置決めを行う小突起５６が形成されている。
【００２８】
次に、上記構成のプレスローラアッセンブリ４０の組み付け手順を説明する。まず、図４に示すように、各プレスローラ３３と、ニップ解除レバー４５のシャフト挿通穴４６ａとにシャフト４１を挿通し、該シャフト４１の両端部を取付具５０，５０のシャフト支持部５２，５２に挿入する。その状態で、図５に示すように、各取付具５０の小突起５６を画像記録装置５の本体フレーム３５の側壁部３６に形成した挿入穴３６ａに挿入する。その状態で、つば部５５の挿通穴５５ａに挿通したネジ３７を、本体フレーム３５の底面部３８に設けた図示しないネジ穴に締結して固定することで、取付具５０を本体フレーム３５に取付固定する。さらに、図５に示すように、弾性金属板で構成されたシャフト押え板３９を用意し、このシャフト押え板３９の先端近傍の下面をシャフト４１の上側面に弾接させ、その根元部分の近傍を本体フレーム３５の底面部３８上にネジ３９ａで取付固定することで、このシャフト押え板３９でシャフト４１を下方に向かって弾発した状態とする。これらによって、プレスローラ３３が、その下側に配置されている搬送ローラ３２（図３参照）に対して圧接された状態で取付固定される。
【００２９】
プレスローラ３３が搬送ローラ３２に圧接された状態では、図５及び図６に示すように、ニップ解除レバー４５が、シャフト４１の搬送下流側の用紙搬送路３１の上部に略水平な状態で倒れたニップ位置にある。またその状態で、図６に示すように、シャフト押え板３９で下方に弾発されているシャフト４１が、縦長形状のシャフト挿入孔５２ａ内の下部に位置している。またこのとき、ニップ解除レバー４５の下面が、用紙搬送路３１の底部（インナガイド３０の上面）に対して所定の隙間を介してその上部に配置されている。これにより、ニップ解除レバー４５の下面（詳細にはニップ解除レバー４５に形成した補強リブ４５ｂの下面）が、用紙搬送路３１の上部（天井面）の一部をなすように構成されている。
【００３０】
本画像形成装置１では、プレスローラ３３と該プレスローラ３３を組み付ける各部品とを一体にプレスローラアッセンブリ４０として構成したことで、取付具５０を画像記録装置５の本体フレーム３５（画像形成装置１の本体部）に取付固定するだけで、プレスローラ３３の組み付けが行えるようになる。したがって、プレスローラ３３の組み付け作業やその取り外し作業が行い易くなり、それらの作業効率が向上する。また、一対の取付具５０，５０を、それぞれ本体フレーム３５に一本のネジ３７の締結で固定するように構成したので、プレスローラ３３の組み付けがさらに容易に行える上に、プレスローラ３３を確実に固定することが可能となる。さらに、プレスローラアッセンブリ４０は、プレスローラ３３のニップを解除するニップ解除レバー４５を一体に備えているので、このプレスローラアッセンブリ４０を組み付けることにより、ニップ解除機構も設置することができ、ニップ解除機構を備えたプレスローラ３３の組み付け作業が容易に行えるようになる。
【００３１】
ここで、プレスローラ３３のニップ解除動作について説明する。図７は、ニップ解除動作の手順を説明するための図である。先の図５及び図６に示すように、ニップ解除レバー４５がシャフト４１の搬送下流側に倒れたニップ位置から、ニップ解除レバー４５に指を掛けて上方に回動させて引き起こすと、図７に示すように、ニップ解除レバー４５の当接部４７が、取付具５０のガイド部５３に当接してこれに乗り上げる。その際、ニップ解除レバー４５のシャフト挿入孔５２ａに挿入されているシャフト４１が、ニップ解除レバー４５の回動による上昇に伴って、シャフト押え板３９の弾発力に抗して上方に持ち上げられる。これにより、プレスローラ３３が搬送ローラ３２から離間してその圧接（ニップ）が解除される。
【００３２】
上記のように、ニップ解除レバー４５がシャフト４１の周りを回動する際に取付具５０に設けたガイド部５３に乗り上げることで、シャフト４１を持ち上げてプレスローラ３３のニップを解除するので、軽い力でニップ解除レバー４５を引き起こすことができ、ニップ解除レバー４５を操作する力が小さくても確実にニップの解除ができるので、ニップ解除の操作性を向上させることができる。
【００３３】
またこのプレスローラアッセンブリ４０では、取付具５０に、ニップ解除レバー４５をニップ解除位置で係止する係止機構である係止片５４を設けている。これにより、引き起こされたニップ解除レバー４５が、図７に示すニップ解除位置で係止片５４に当接して係止されるので、プレスローラ３３を、上方に持ち上げたニップ解除状態で止めることができる。したがって、搬送ローラ３２とプレスローラ３３のニップ部における紙詰まり等の処理を行う際の利便性を向上させることができる。さらに同図に示すように、係止片５４で係止されたニップ解除レバー４５は、そのニップ位置からの立ち上がり角度（水平位置からのシャフト４１周りの回動角度）が、９０度未満となるように構成されている。そのため、万一、ニップ解除操作を行った際にニップ解除レバー４５を戻し忘れて、そのまま現像器ユニット１４を装着してしまった場合でも、現像器ユニット１４の底部でニップ解除レバー４５が押されて、図６に示すニップ位置まで自動的に戻される。したがって、部品の引っ掛かりなどの不具合や故障の発生を防止することができるようになる。
【００３４】
また上記したように、プレスローラ３３がニップ状態にあるとき、ニップ解除レバー４５が用紙搬送路３１の一部をなすように構成したので、簡単な構成で部品点数を増やさずに、用紙搬送路３１を搬送される用紙を、このニップ解除レバー４５で構成される用紙搬送路３１の一部で保護することが可能となる。
【００３５】
以上本発明の実施形態を説明したが、本発明は上記実施形態に限定されるものではなく、特許請求の範囲、及び明細書、図面に記載された技術的思想の範囲内において種々の変形が可能である。なお、直接明細書及び図面に記載のない何れの形状・構造・材質であっても、本願発明の作用・効果を奏する以上、本願発明の技術的思想の範囲内である。例えば、プレスローラアッセンブリ４０が備える取付具５０や他の構成部品の具体的な形状等は、上記実施形態に示すものには限定されず、それ以外の形状等にすることも可能である。また、本発明のプレスローラアッセンブリが備えるプレスローラが圧接される搬送ローラとしては、画像記録装置内に設置された用紙を搬送する搬送ローラであれば、用紙搬送路の他の箇所に設置した別の搬送ローラなどであっても良い。
【図面の簡単な説明】
【００３６】
【図１】本発明の一実施形態にかかる用紙搬送機構を備えた画像形成装置の全体構成例を示す斜視図である。
【図２】画像記録装置の上部カバーを開いた状態を示す斜視図である。
【図３】画像記録装置の内部の詳細構成例を示す側断面図である。
【図４】プレスローラアッセンブリの構成例を示す側面図である。
【図５】プレスローラアッセンブリの取付状態を示す部分拡大斜視図である。
【図６】プレスローラアッセンブリを示す概略側面図で、ニップ解除レバーがニップ位置にある状態を示す図である。
【図７】プレスローラアッセンブリを示す概略側面図で、ニップ解除レバーがニップ解除位置にある状態を示す図である。
【符号の説明】
【００３７】
１      画像形成装置
２      読取部
３      記録部
４      自動原稿搬送装置（ＡＤＦ装置）
５      画像記録装置
８      操作パネル
９      本体部カバー
１０    上部カバー
１０ａ  原稿排出トレイ
１１    原稿供給トレイ
１２    中間カバー
１３    プロセスユニット
１４    現像器ユニット
１５    感光体ユニット
１６    感光体ドラム
１７    転写ローラ
１８    帯電ローラ
１９    トナー室
２０    現像ローラ
２１    トナー供給ローラ
２２    定着器ユニット
２３    ヒートローラ
２４    プレスローラ
２５    排出ローラ
２６    プレスローラ
２７    ＬＥＤヘッド
３０    インナガイド（用紙搬送路底面）
３１    用紙搬送路
３２    搬送ローラ
３３    プレスローラ
３５    本体フレーム
３６    側壁部
３７    ネジ
３８    底面部
３９    シャフト押え板
４０    プレスローラアッセンブリ
４１    シャフト
４５    ニップ解除レバー
４６    取付部
４６ａ  シャフト挿通穴
４７    当接部
５０    取付具
５１    本体部
５２    シャフト支持部
５３    ガイド部
５４    係止片（係止機構）
【図１】
2008063074.tif 000003
【図２】
2008063074.tif 000004
【図３】
2008063074.tif 000005
【図４】
2008063074.tif 000006
【図５】
2008063074.tif 000007
【図６】
2008063074.tif 000008
【図７】
2008063074.tif 000009